(57)【要約】【課題】  設定条件を保持して入力画像と一緒に印刷する構成をとることによって、ユーザーが印刷物と設定条件の対応を容易にとることを目的とする。【解決手段】  印刷対象のデジタル画像データを記憶する画像データ記憶手段と、全ての印刷設定条件を記憶する全選択条件記憶手段と、印字したい印刷設定条件を選択する設定条件選択手段と、選択された設定条件を記憶する選択条件記憶手段と、印字する設定条件のイメージを作成する条件イメージ作成手段と、入力画像イメージと設定条件イメージを合成する印刷データ合成手段と、合成されたイメージデータを出力する印刷データ出力手段と、全ての設定条件をプリンタに送り、制御するためのプリンタ制御手段を有する。【選択図】  図１
2007125813.tif 000002
【特許請求の範囲】
【請求項１】
印刷対象のデジタル画像データを記憶する画像データ記憶手段と、全ての設定条件を記憶する全選択条件記憶手段と、印字したい設定条件を選択する設定条件選択手段と、選択された設定条件を記憶する選択条件記憶手段と、印字する設定条件のイメージを作成する条件イメージ作成手段と、入力画像イメージと設定条件イメージを合成する印刷データ合成手段と、合成されたイメージデータを出力する印刷データ出力手段と、全ての設定条件をプリンタに送り、制御するためのプリンタ制御手段を有することを特徴とする画像印刷システム。
【請求項２】
請求項１に加えて、全ての設定条件を符号化する符号化手段と、印字された符号を設定する符号設定手段と、符号を設定条件に変換する逆符号化手段を有することを特徴とする画像印刷システム。
【発明の詳細な説明】
【技術分野】
【０００１】
本発明は画像印刷システムに関するものである。
【背景技術】
【０００２】
プリンタのドライバには、色調整、コントラスト等の多種多様な設定条件があり、ユーザーは、自分の好みに応じて様々な設定条件を設定することができる。しかしながら、いったん印刷してしまうと、印刷物には設定条件の情報がないため、その印刷物がどのような条件で印刷したのかユーザーは判断できない。
【０００３】
印刷物と印刷情報の対応をとるために、特開平11-216923では画像を印刷する印刷用紙の画像印刷領域の周辺部に、印刷日時やユーザーが指定したコメントを付加する技術が公開されている。この技術を用いて、設定条件の情報をコメントとして出力すれば、印刷物と設定条件の対応をとることは可能である。
【特許文献１】特開平１１−２１６９２３号公報
【発明の開示】
【発明が解決しようとする課題】
【０００４】
しかしながら、設定条件をコメントとしてユーザーがキーボード等で入力するのは手間を要する。また、プリンタの設定条件は多種多様なため、全ての設定条件をコメントとして入力すると膨大な情報量となる。
【０００５】
そこで本発明では、設定条件を保持して入力画像と一緒に印刷する構成をとることによって、ユーザーが印刷物と設定条件の対応を容易にとることを目的とする。
【課題を解決するための手段】
【０００６】
上記目的を達成するために、本発明では印刷対象のデジタル画像データを記憶する画像データ記憶手段と、全ての設定条件を記憶する全選択条件記憶手段と、印字したい印刷設定条件を選択する設定条件選択手段と、選択された設定条件を記憶する選択条件記憶手段と、印字する設定条件のイメージを作成する条件イメージ作成手段と、入力画像イメージと設定条件イメージを合成する印刷データ合成手段と、合成されたイメージデータを出力する印刷データ出力手段と、全ての設定条件をプリンタに送り、制御するためのプリンタ制御手段を有することを特徴とする。
【０００７】
また、全ての設定条件を符号化する符号化手段と、印字された符号を再度プリンタ側に設定する符号設定手段と、符号を設定条件に変換する逆符号化手段を有することを特徴とする。
【発明の効果】
【０００８】
請求項１に記載の発明によれば、設定条件選択手段でユーザーが印刷したい設定条件を選択し、その情報をイメージ化して印刷データ合成手段で原画像と合成して出力するので、ユーザーが印刷物と印字条件の対応を正確にとることが可能となる。
【０００９】
請求項２に記載の発明によれば、符号化手段によって全設定条件を符号化することで膨大な情報量を減らすことができる。また設定された符号を逆符号化手段によってプリンタの全設定条件に変換することで全ての設定条件を設定することが可能となる。
【発明を実施するための最良の形態】
【００１０】
（実施例１）
以下本発明の実施例について図面を用いて説明する。図１は本発明の１実施形態である画像印刷システムのブロック図を示すもので、印刷対象のデジタル画像データを記憶する画像データ記憶手段と、全ての設定条件を記憶する全選択条件記憶手段と、印字したい印刷設定条件を選択する設定条件選択手段と、選択された設定条件を記憶する選択条件記憶手段と、印字する設定条件のイメージを作成する条件イメージ作成手段と、入力画像イメージと設定条件イメージを合成する印刷データ合成手段と、合成されたイメージデータを出力する印刷データ出力手段と、全ての設定条件をプリンタに送り、制御するためのプリンタ制御手段から構成される。図２は図１のブロック図で表される画像評価装置の処理手順を表すフローチャートである。以下、図２のフローチャートに従って説明する。
【００１１】
まず、画像データ記憶手段１１では、画像データをハードディスク、メモリ等の記憶媒体に保存する（S１１）。
【００１２】
次に、設定条件選択手段１２では、入力画像と共に印字したい設定条件を選択する（S１２）。例えば、設定条件のカテゴリ（印刷モード・濃度・γ）をUI上に表示させて、ユーザーに印字したい設定条件を複数選択させる。図３では印刷モードを選択した場合を例に挙げる。
【００１３】
次に、全設定記憶手段１３では、プリンタの全ての設定条件を記憶しておく。また、後で述べるプリンタ制御手段１８に全設定条件の情報を送る。
【００１４】
次に、選択条件記憶手段１４では、前記手段１２で選択されたカテゴリに対応する設定条件を全選択条件記憶手段１３から抽出し、メモリ、ハードディスク等の記録媒体に保持しておく（S１３）。設定条件選択手段１２で印刷モードを選択した場合、「高品位、普通、高スピード」という印刷モードの中で高品位に設定していれば「高品位」という情報を保持しておく。
【００１５】
次に、条件イメージ作成手段１５では、選択条件記憶手段１４で記憶させた設定条件をテキストデータのイメージとして保存する（S１４）。
【００１６】
次に、印刷データ合成手段１6では、画像データ記憶手段１１に保存された入力画像と条件イメージ作成手段１５で作成されたイメージを合成する（S１５）。具体的には、適当な印刷位置に、原画像の印刷イメージと設定条件イメージのデータをそれぞれ配置することで、印刷すべき全体の印刷イメージが合成される。例を図４に示す。
【００１７】
次に、印刷データ出力手段１７では、印刷データ合成手段で合成されたデータをプリンタに出力する（S１６）。
【００１８】
次に、プリンタ制御手段１８では全ての設定条件をプリンタに送り、プリンタを制御する。
【００１９】
以上のように、本実施例における画像印刷システムでは、設定した印字条件を保持して入力画像と共に印刷されるので、ユーザーが印刷物と印字条件の対応を正確にとることが可能となる。
【００２０】
（実施例２）
第一の実施例では、設定条件選択手段１３で選択された複数の設定条件を入力画像とともに印字させるものである。しかしながら、仮に全ての設定条件を入力画像と共に印字すると、膨大な量となってしまう。そこで本発明における第二の実施例では、第一の実施例に追加して、全ての設定条件を符号化する符号化手段と、印字された符号を設定する符号設定手段と、符号を設定条件に変換する逆符号化手段を有することを特徴とする。図5は本発明の１実施形態である画像印刷システムのブロック図を示すもので、印刷対象のデジタル画像データを読み取る画像入力手段と、読み込んだ画像データを記憶する画像データ記憶手段と、全設定条件を符号化する符号化手段と、符号化された設定条件のイメージを作成する条件イメージ作成手段と、入力画像イメージと設定条件イメージを合成する印刷データ合成手段と、合成されたイメージデータを出力する印刷データ出力手段と、符号を設定する符号設定手段と、符号から設定条件に変換する逆符号化手段と、全ての設定条件を記憶する全設定条件記憶手段と、全設定条件をプリンタに送り、プリンタを制御するためのプリンタ制御手段から構成される。以下本発明の実施例について、実施例１との差分を説明する。
【００２１】
符号化手段２２では、全ての設定条件のデータを全設定条件記憶手段２８から読み取り、符号に変換する。符号化の手段はどのような方法であっても構わない。
【００２２】
簡易的な方法としては、設定項目の種類に対応した番号を付ける方法がある。例えば、印刷モードが高品位、普通、高スピードの３種類があった場合、それぞれを01、02、03という符号に変換する。他の設定条件も同様に符号化を行い、全符号を連結させることで全設定条件を表現することができる。この符号データを、第一の実施例と同様に画像データと共に印字することで、印刷物と印字条件の対応をとることができる。
【００２３】
また、符号が印刷された印字物と同じ条件で再度印刷を行いたい場合は、符号設定手段２６で符号を設定する。符号の設定手段は任意とする。
【００２４】
次に逆符号化手段２７では、前記符号設定手段で設定された符号を設定条件に変換する。変換方法は符号化手段２２の逆変換を行なえばよい。
【００２５】
次に全設定条件を全選択条件記憶手段２８に送信する。
【００２６】
次に全設定条件記憶手段からプリンタ制御手段２９に設定条件が送られることで、所望の設定条件でプリンタを制御することが可能となる。
【００２７】
以上のように、本実施例における画像印刷システムでは、全設定条件を符号化して入力画像と共に印字することで印刷物と印字条件の対応を簡単にとることが可能となる。また全ての印刷設定条件を符号化することで膨大な情報量を減らして印字することができる。
【００２８】
請求項１に記載の発明によれば、設定した印字条件を保持して入力画像と共に印刷することで、ユーザーが印刷物と印字条件の対応を容易にとることが可能となる。
【００２９】
請求項２に記載の発明によれば、全設定条件を符号化して入力画像と共に印字することで印刷物と印字条件の対応を簡単にとることが可能となる。また全ての印刷設定条件を符号化することで膨大な情報量を減らして印字することができる。
【図面の簡単な説明】
【００３０】
【図１】第一の実施例における画像印刷システムの一例を表すブロック図。
【図２】第一の実施例における画像評価システムの一例を表すフローチャート。
【図３】第一の実施例における設定条件選択手段の一例を表す図。
【図４】第一の実施例における印刷データ合成手段を表す図。
【図５】第二の実施例における画像印刷システムの一例を表すブロック図。
【図１】
2007125813.tif 000003
【図２】
2007125813.tif 000004
【図３】
2007125813.tif 000005
【図４】
2007125813.tif 000006
【図５】
2007125813.tif 000007